(57)【特許請求の範囲】
【請求項１】
ポール等をその中心に立設支持する支持台の水タンク式台座が、その基部面を平面視六角形ないし円形、上端面を該基部より小径とし、その間をつなぐ側壁面を円弧により形成し、前記基部の底面を前記側壁と同一ないしより大きい半径の円弧により凹曲面（中高状）とし、これを低密度ポリエチレン１００重量部に対して酢酸ビニルコポリマを１０〜５０重量％、またはアクリル酸エステルコポリマを５〜４０重量％を加えて混合して柔軟度を向上せしめた材料によりブロー成形により中空に形成し、上面からの圧縮により扁平化を可能にしたことを特徴とするポール支持用台座。
【請求項２】
前記の水タンク式台座において、傾斜面またはアール面になる側壁面に複数条の薄肉になる凹条リブを放射方向に一体形成したことを特徴とする請求項１記載のポール支持用台座。
【請求項３】
ポール等の支持台としての水タンク式台座において、その中心部に形成したポール支持部材挿通穴の上端周辺に陥没状平面部を形成すると共に該陥没状平面部に給排水孔２個を開設し、さらに、予備キャップ装着用凹部を設けたことを特徴とする請求項１または請求項２記載のポール支持用台座。
【請求項４】
ポール等の支持台用水タンク式台座において、その台座の中心部に形成したポール支持部材挿通穴の内周面に１周またはそれ以下の周回長さで螺旋状凸条を突設したことを特徴とする請求項１または請求項２または請求項３記載のポール支持台用台座。
【発明の詳細な説明】
【０００１】
【発明の属する技術分野】
本発明は、旗やのぼり、パラソル等を立設するポールの支持台、または工事現場などに設置するカラーコーンの台座の構造に関する。
【０００２】
【従来の技術】
スーパーマーケットやガソリンスタンドの店頭、住宅展示場、その他各種イベント会場などで集客用目印として旗やのぼりが立設されるが、これにはコンクリート製のブロックになるポール支持台が多く使用されている。また、最近ではプラスチック成形品になる水タンク形式のものも使用されるようになった。
【０００３】
これらのポール支持台において、その中心に形成された縦穴部分にポール支持部材が密接に嵌合され、さらにその支持部材に旗竿の基部が挿通されてのぼりが立設される。このうち、コンクリート製の台座は重量が大きいために旗等を安定して支持できることが特徴であるが、その重量の大きいことが逆に移動や保管のための持ち運びに不便を来たし、多数の旗類を立設するイベント会場の設営には軽量化が求められる。
【０００４】
このような欠点を解消するものとして例えば図９に示すプラスチック製水タンク方式のポール支持台が開発されている。これを図９によって説明すると、貯水部Ｗとこの貯水部のための給排水口を有する中空状本体Ａと、この中空状本体の上面側から下面側にかけて形成されその内底面に係合切欠Ｂが形成された取付凹部Ｃを備えた座台Ｄと、内部がポール根元部を収容するための差込筒部Ｅとして形成されその外周部に前記座台の取付凹部の内側面に圧嵌する側面突部を有する筒状本体Ｆと、前記筒状本体上部に形成され外ねじ部が刻設されかつ前記筒状本体の差込筒部とテーパ面を介して連続する大径開口を有する上部締付部Ｇと、前記座台の取付凹部内底面に当接する座板と該内底面の係合切欠に着脱自在に係着する突片Ｈを有する下部係着部を備えたポール支持部材Ｊと、前記ポール支持部材の上部締付部の外ねじ部に螺着する内ねじ部を有するナット本体と、該ナット本体上部からその内側下方に一体に延設され前記ポール支持部材の外ねじ部に螺着ナット本体の前進によって前記ポール支持部材のテーパ面に沿ってその差込筒部の中心方向に移動して該差込筒部に収容されたポールを圧締するように構成された複数の可撓性舌片を備えた圧縮ナット部材Ｇとからなるもので、水の未充填時には従来品のコンクリート製ポール台に比べて遙かに軽量で運搬が容易なものとなっている。
【０００５】
また、道路や地面に設置して工事現場を表示するための円錐形などになる所謂カラーコーンに関しても転倒を防止するためにその基部に水または砂を注入する考案が開示されている（例えば実用新案文献１参照）が、その重量故に移動などに不便があった。
【０００６】
【特許文献１】
特開平８−１２３３４７号公報（請求項１、図２参照）
【実用新案文献１】
実開平５−５４６１８号公報（図１参照）
【０００７】
【発明が解決しようとする課題】
ポール支持台自体は水を充填しなければ軽量で作業性はよいが、その容積はかなり大きく、輸送はもとより、保管にも広いスペースを必要とすることが問題で、特に、該ポール支持台の生産工場およびイベント会社においては広い保管場所と軽量にも拘わらず大ペースの輸送手段を用意しなければならないという不便さがあり、該支持用台座の小容積化および保管のためのスタック性向上が課題とされている。
【０００８】
また、ポール支持台に注水して旗やのぼりを掲示している状態で、自動車などが該台座に接触するなどして該台座に衝撃圧が加わることがしばしばあり、これによって該台座の内圧が急上昇しキャップＣが飛散し、或いは悪戯による該キャップの取り去りがあるなどアクシデントがあり、容易に離脱しないキャップの開発が課題とされている。
【０００９】
【課題を解決するための手段】
本発明は上記の課題を解決するために、請求項１に記載においては、ポール支持台における水タンク式の台座が、低密度ポリエチレン１００重量部に対して酢酸ビニルコポリマを１０〜５０重量％、またはアクリル酸エステルコポリマを５〜４０重量％を加えて混合し、柔軟度を向上せしめた材料によりブロー成形した中空品であって、かつ、その側壁部分を傾斜面またはアール面により形成してその上方からの圧縮により扁平化することのできる形状とし、運搬および収納性を向上させた。
【００１０】
請求項２に記載の発明は、前記の水タンク式台座において、傾斜面またはアール面になる側壁面に複数条の凹条リブを放射方向に一体的に形成したことにより、該台座を上方から圧縮して扁平化させた後、さらに折り畳むことを可能とした。
【００１１】
請求項３に記載の発明は、ポール支持台用水タンク式台座において、その中心部に形成したポール支持部材挿通穴の上端周辺に陥没状平面部を形成すると共に該陥没状平面部に給排水孔２個を開設し、さらに、予備キャップ装着用凹部を設けたことにより、これらに嵌合するキャップをポール支持部材によって被覆押圧し、容易に離脱しないものとした。
【００１２】
請求項４に記載の発明は、ポール支持台用水タンク式台座において、その台座の中心部に形成したポール支持部材挿通穴に１周またはそれ以下の周回になる螺旋状凸条を突設形成したもので、成形操作性を向上させると同時にポール支持部材と台座との固着を容易にした。また、これによってキャップの紛失を防止した。
【００１３】
【発明の実施の形態】
本発明の実施の一形態について図面を参照して説明する。図１にポール支持台１０の全体像を示し、図２から図８はその構成部材を示したものであり、図９は従来例の一つを示した。
【００１４】
本発明に係るポール支持台１０は、図１に示すようにプラスチック成形品になる台座１にポール支持部材７を挿入螺合することによって立設し、さらに該ポール支持部材にのぼり等を装着したポールＰを挿通し締付用ナット８で固定したものである。
【００１５】
これらの構成部材のそれぞれについて図２以下を参照して説明する。図２は、水タンクとしての台座１を一部断面図で示した正面図で、図３はその平面図である。この図２の断面表示部および図３から分かるように、台座１は薄肉のプラスチックでブロー成形品になる中空体であり、平面形状がほぼ六角形で、その中心部に後記のポール支持部材７が挿通し螺合するための取付穴２がその内径部分に１周または１周弱の周回になる螺旋状凸条（雌ねじ）２ａを突設して垂直方向に開口している。しかも、その取付穴２の上端部分は台座１の上端縁より若干陥没するようにして形成した平面部３に接している。なお付言すれば、前記１周または１周弱の螺旋状凸状はポール支持部材挿通穴形成用金型２０のコア２１を二体構成２１ａ、２１ｂ（図４）としてその互いの突き合わせ部の一方（例えば２１ａ）に一条または一条弱の凹条２２ｃを周回刻設したものを使用してブロー成形することによって形成できるもので、これによって、成形後にコアまたは成形品を回転することなく簡単に成形品が離型できるもとなる。
【００１６】
この台座１の上面における陥没状の平面部３には該台座１内に注水し、排水するための２個の給排水口３ａ，３ａが設けられると共に、さらに該通孔３ａ，３ａを閉止するための予備のキャップが係合する凹部３ｂを設けている。これらの通孔３ａ，３ａおよび凹部３ｂにはキャップ４が嵌合取着される。
【００１７】
また、この台座１の側面形状は、図２に示すように、下端面の外周５ａから前記上面の陥没平面部３の始端外周５ｂとが円弧によって連なった球面状表面５に形成されている。同様に、該台座の底面６も前記の円弧Ｒと同様又はそれより大きい半径によって凹曲面状にえぐられている。これによって、該台座１を保管する場合、図５に示すように数個を積み重ねることが可能であり、この上下の曲面（Ｒ）の寸法を底面側が大になるようにしておけば横滑りのない安定したスタックができることになる。
【００１８】
前記に台座１の平面形状を六角形として説明したが、円形でも角形でも良いことは勿論である。
【００１９】
図３に示すように、前記の球面状表面５には凹状リブ５ｃ，５ｃ・・が放射状に形成されている。これは、前記の台座１を上方から圧縮して扁平化し、次いで、このリブ５ｃに沿って二つ折り、さらに三つ折りにする場合の折り目である。本台座１は前記のようにブロー成形によって製造するもので、その概要は成形機から樹脂はパリソンとして吐出され金型内に導入され、次いでそのパリソン内に圧搾空気を吹き込んで金型キャビティ面に接するまで膨脹せしめて作るものである。この場合、パリソンが良く伸ばされた部分は薄肉になる。前記Ｕ字型などの凹状リブ５ｃ部は他の円弧状平面部より大きく伸長しており、従って薄肉となり、前記の二つ折り、三つ折りの折り目として利用できる程度に弱化しているのである。なお、折り畳みが容易になるために該台座１の成形材料として低密度ポリエチレン１００重量部に対して酢酸ビニルコポリマを１０〜５０重量％、またはアクリル酸エステルコポリマを５〜４０重量％を混合して柔軟度を向上せしめた材料を使用する。
【００２０】
図６に示すものは円筒状のポール支持部材７で、その基部外周に雄ねじ７ａを形成し、その雄ねじ７ａより若干上方に前記の台座１上面の陥没状部に形成した平面部３に嵌合するフランジ７ｂを形成し、さらにそのポール支持部材７の上端外径には雄ねじ７ｃを形成している。
【００２１】
このポール支持部材７は、前記台座１の取付穴２に挿通せしめ、これを回動することによってその雄ねじ７ａが前記台座１の螺旋状凸条２ａに螺合し、立設することになる。
【００２２】
その上端の雄ねじ７ｃ部分には、例えば放射方向に数条のスリットを刻設し、該雄ねじ７ｃに螺合するナット８の内径を奥細に形成して該ナット８を締め込むことにより前記雄ねじ７ｃ部の直径を緊縮させる構造など、により該ポール支持部材７の内径に挿通したポールＰを締め付け固定する構造である。その他適宜の構造が採用され得ることは勿論である。
【００２３】
旗用ポールＰは前記ポール支持部材７の内径とほぼ同径のパイプが使用され、これに旗ないしのぼりが取着（図１）される。
【００２４】
以上の構成になる本発明のポール支持台１０の使用方法を説明する。先ず、台座１の給排水口３ａ、３ａのキャップを取り外してその一方から給水する。所定量が充填できればキャップを嵌合して閉じる。なお、凹部３ｂには紛失に対する予備のキャップが嵌合されている。
【００２５】
次いで、該台座１の取り付け穴２にポール支持部材７の下端を挿通させ、これを回動させてその雄ねじ７ａを前記台座の取付穴２に形成の螺旋状凸条２ａと螺合させる。これによって、ポール支持部材７は台座１に直立し、同時にそのフランジ部７ｂが給排水口３ａ、３ａ並びに凹部３ｂの上面を被覆する。このポール支持部材７の内径には上方よりポールＰが挿通され、ナット８によって該ポールの外径を締め付け固定する。
【００２６】
次に、このポール支持部材１の収納について説明する。先ず、ナット８を緩め、ポールＰを抜き取り、さらにポール支持部材７をねじの弛み方向に回動させてこれを取り去る。イベント会場などにおいては、この状態の台座を図５のように数個の重ねて保管することができる。
【００２７】
また、２個の給排水口３ａ，３ａのキャップ４を開栓して台座１内の水を排出し、次いで該台座１の上面を押圧することによって扁平状として前記のキャップ４を閉じる。そして、放射状に形成した凹状リブ５ｃ部を折り線として二つ折りにし、さらに三つ折り（図示していない。）にする。この状態で保管し、輸送することが可能である。
【００２８】
以上において旗、のぼりのポール支持を説明した。一方、道路や地面に設置され、工事中などの標識として使用される所謂カラーコーン１２においては図８に示すように該カラーコーン自体の基部１２ａに雌ねじを形成し、これを前記のポール支持台１に挿入し、前記の螺旋状凸状２ａに螺合させることによって立設、設置する。この場合も、該ポール支持台１は折り畳みうることにより、保管、運搬が容易になる。
【００２９】
【発明の効果】
給排水口３ａ，３ａを２個開設したことにより、給水中に他方の給排水口は台座１内の空気を排出する作用をなし、給水が容易になる。また、一方の給排水口３ａから排水する場合、他方の給排水口３ａから台座１内に空気を吸入することが可能で排水能率が向上する。
【００３０】
ポール支持部材７を台座に立設すると、そのフランジ部７ｂが給排水口３ａ、３ａ並びに凹部３ｂの上面を被覆することになり、該台座に衝撃圧が加わってもキャップが離脱することが無く、また、悪戯によって取り外されることもなくなった。
【００３１】
ポール等支持用台座においてポール支持部材７が挿通する取付穴２に一周弱の周回になる螺旋状凸条（雌ねじ）２ａを形成したことによりポール支持部材７の固着が確実になった。
【００３２】
このように構成されたポール等支持用台座の取付穴２にカラーコーン１２の基部１２ａが挿通され螺合されることによって該カラーコーンが安定して保持され転倒が防止されることは勿論である。
【図面の簡単な説明】
【図１】図１は、本発明に係るポール支持台にのぼりを取着した正面図である。
【図２】図２は、ポール支持台用台座を一部断面で示した正面図である。
【図３】図３は、図２の平面図である。
【図４】図４は、台座における支持部材取付穴の螺旋状凸状形成用金型のコアの１例を示したもので、（ａ）はブロー成形時、（ｂ）は型開き時の状態の正面図である。
【図５】図５は、図２の台座を積み重ねた状態を示す一部断面の正面図である。
【図６】図６は、ポール支持部材の斜視図である。
【図７】図７は、台座にポール支持部材を挿通し螺合した状態を一部断面で示した正面図である。
【図８】図８は、本台座にカラーコーンを立設した状態を示す一部断面になるの正面図である。
【図９】図９は、従来例を示した断面になる正面図である。
【符号の説明】
１  台座
２  取付穴
３  陥没平面部
３ａ  給排水口
３ｂ  凹部
４  キャップ
５  球面状表面
６  底面
７  ポール支持部材
８  ナット
１０  ポール支持台
１２  カラーコーン
Ｐ  ポール
【図１】
0003689693.tif 000002
【図２】
0003689693.tif 000003
【図３】
0003689693.tif 000004
【図４】
0003689693.tif 000005
【図５】
0003689693.tif 000006
【図６】
0003689693.tif 000007
【図７】
0003689693.tif 000008
【図８】
0003689693.tif 000009
【図９】
0003689693.tif 000010